(57)【要約】      （修正有）【課題】取り付けが容易で、パソコン画面の妨げになることなく、職場等での行先等を表示することができ、しかも未使用時には書類などに挟んで収納可能な表示装置を提供する。【解決手段】柔軟なプラスチック製とし、上部を山折りの二つ折りにし、パソコン画面の横又は縦に衝立状に取り付ける。また、二つ折りにした上部中ほど数か所をセロハンテープ等で止め、未使用時に書類などを差し挟み収納する。【選択図】図５
2015014769.tif 000002
【特許請求の範囲】
【請求項１】
プラスチック製の、上部が山折り二つ折りで、フックなしでパソコン画面上部に掛けることが可能な、職場などでのトイレ・打ち合わせ等パソコン等の服務管理ソフトで表示しきれない臨時等の行先等を表示する表示
【請求項２】
さらに、パソコン画面の視認を妨げない形状の請求項１の表示。
【請求項３】
さらに、パソコン画面の横にも掛けることが可能な請求項１の表示。
【請求項４】
さらに、絵柄と日本語、英語等の文字を併用した請求項１の表示。
【請求項５】
さらに、色別に用途を峻別可能な請求項１の表示。
【請求項６】
さらに、材質はプラスチック製以外の材質、紙等で使い捨ても可能な請求項１の表示
【請求項７】
さらに、セロテープ等で表示の適当な箇所を固定し、くびれの形状等で固定可能な請求項１の表示
【請求項８】
さらに、図では、図が意味するのを明らかにする為、敢えて大きめに表現したが、大小の寸法をも含む請求項１の表示。
【発明の詳細な説明】
【技術分野】
【０００１】  本発明は、プラスチック製で上部が山折りになり、パソコン画面上部等にフックなしで掛けることが可能で、且つパソコン画面の妨げにならない形状である、職場等でトイレ・会議・出張等離席する行先等を表示する表示に関するものである。
【技術背景】
【０００２】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。容易性に優れた、自家用車の排気量によるダッシュボードの大きさ・形状・デザインにも容易に適合可能な利点と合わせ、手軽で安でできる価固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００３】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具を出願した。
【０００４】  この、ゴム管を巻いた針金を、出願当初のクリップボード上の筆記用具落下防止器にも活かし、且つ筆記用具固定部分をこれも手型にし更に人間の手の指のように折り曲げたり拡げたりというゴム管を巻いた針金ならではの柔軟性を生かした曲げられる手を持つフックにすると、「グー」「チョキ」「パー」のように形を変えると、単純に筆記用具だけでなく、定規や付箋等更に固定でき、単に蜷局状、コイル状の筆記用具だけを固定可能な前出願案件よりも、クリップボード上の筆記用具等落下防止器具として、さらに活用性が高まるのではと考え出願した
フックは固定でなければならないのは、フックで吊る物が重量物である場合である。クリップボードにフックで引っかける物は、軽量物でなければならない。でなければ落下するからである。また固定する対象は、その都度クリップボードを使用し行う作業内容に左右される。筆記用具、付箋等多様な物である。よって、固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックであれば、単にとぐろ状、コイル状の筆記用具固定部分のフックよりも利用度が高くなるのではないかと考えた。フックは固定でなければならない固定観念を捨て、フックも形状が変えられても良い発想に気が付いた。
作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能である。
更に、フックによる固定したい物が多様である場所とは、クリップボードだけではなく、前述自家用車等の車内も同様で、コイル状・蜷局状の筆記用具等固定部分を、人間の手形にし指を伸ばしたり折り曲げたりし、日本人なら誰でも思い浮かべることが容易な形「グー」「チョキ」「パー」にすると、引っかけて固定したい物は、筆記用具は言うに及ばず、たばこや運転に欠かせないサングラス等新たな活用性を見出すことに気が付いた。また、試作してみると、前述フック等で掛けるゴム管針金による、車両等の車内の筆記用具とメモ用紙又は駐車場券、伝票、ガソリン領収書、写真、写真入り額縁等をペアで固定する、多用途固定器具の形状よりも、人間の手形の形による指を伸ばしたり折り曲げたりする固定の方が、振動の絶えない自家用車等の車内にて耐振動性が良好である。さらに、単純に何も固定しなければ「グー」「チョキ」「パー」の固定器具が装飾器具にもなり得一石二鳥でもある。「グー」「チョキ」「パー」の形の固定器具なら、通常日本人なら健常者なら思い浮かべるのが容易ななじみの深い手・指の形である。その形をしたフック、固定器具で自家用車用となれば、自分に必要なフック・固定器具がどれかは選択するのも容易なはずである。というのは、自家用車内で使用する物は個人個人で多様であり、ある程度使い分け可能で、伸ばし折り曲げし調整可能で且つ、それが煩わしければ予め「グー」「チョキ」「パー」の形をしたフック・固定器具を選択可能とすれば、より個人のニーズに応じたフック、固定器具が出来上がるはずである。グー」「チョキ」「パー」の固定器具とは、「掴み」「挟み」「手に取る」仕草で物を固定することができる固定器具である。弾力のある針金をゴム管で巻き指で固定するから、人間の本物の指のように、折り曲げ伸ばし微調整が可能である。耐水性、耐防振性、静粛性、エアコン排気口に傷をつけない、万が一落下しブレーキペダル下に入っても容易に曲げられるのでペダルが踏み込めなくなることがなく、ゴム管・針金による廉価で軽い材料でなるため使用者の負担が費用的にも物理的にも軽い利点が考えられる。以上の理由から出願した。
更に、ゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用すれば、固定できる対象は、筆記用具は言うに及ばず、はさみ、輪ゴム、パソコンの埃取ブラシに始まり、卓上のみならず家庭の所謂風呂、トイレ、洗面所等水回りで使用する歯ブラシ、石鹸等物も固定するスタンドとして使用可能であり、且つ何も固定しないでただ置くだけでも装飾品、遊興品としての使用も可能で一石二鳥であり、更には一つのスタンドとして片手で固定するスタンドを複数、例えば二つ合体・並列置き等し両手
で支える・固定するようにすると、二つ合体した一つの骨太スタンドとして、片手でなく両手で支えるようにすれば、より大きく重い物、例えば読みかけの本で開いた状態の物を固定するスタンド、片手で保持するには大きいトイレットペーパーを置き保持するスタンド等、片手で又は両手で或いはそれ以上で多目的スタンドとして利用可能性が大きく拡大できるのではと気が付いた。これは、人間の手が掴む動作をするがごとく、適宜ゴム管を巻いた針金による、手の形で固定したい物に応じて指を折り曲げたり拡げたりして「グー」「チョキ」「パー」の形等に調整し握る・掴む・挟むなどして固定する、多目的卓上スタンドとして使用すれば、職場や家庭等で固定しスタンドとして座右に置き頻繁に使用する多様な物を、幅広く、手の指を広げたり縮めたりして固定し、卓上スタンドとして幅広く使用可能とすることができると考えた。耐水性のある、適宜ゴム管を巻いた構造だから、片手を象ったスタンドを両手に加工する、または並列に並べる、或いは片手のスタンド２式を形状が同じな丸い等した形状のスタンド部を合体させ１式両手で拡げた形状にすることが可能なのではないかと考えた。物を載せているときに、安定性をさらに得るため適宜必要に応じて、スタンド部分を電線ケーブルを束ねるプラスチック製の簡易バンドで数か所を締めると、さらに安定性は増すことも分かった。また、トイレットペーパーを卓上テイッシュの代わりに職場の卓上で使用することも、可能になることもわかった。以上の経緯により、これも出願した。
【０００５】  ところで、このゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用する、卓上のみならず家庭の所謂風呂等水回
りで使用する歯ブラシ、石鹸等物も固定するスタンドとして使用可能で、何も固定しないでただ置くだけでも装飾品、遊興品としての使用も可能で一石二鳥、更には一つのスタンドとして片手で固定するスタンドを複数、二つ合体・並列置き等し両手で支える・固定し、二つ合体した一つの骨太スタンドとして、両手で支えるようにすれば、より大きく重い物、読みかけの本で開いた状態の物を固定するスタンド、片手で保持するには大きいトイレットペーパーを置き保持するスタンド等、片手で又は両手で或いはそれ以上で多目的スタンドとして利用可能性があるが、人間の手が掴む動作をするがごとく、「グー」「チョキ」「パー」の形等に調整し握る・掴む・挟むなどして固定する多目的卓上スタンドだが、物を固定する部分を人間の手の形状にし様々な物を固定することができる機能に、物を固定する部分だけでなく、スタンドとして床と接触し固定するスタンド部分も人間の手の形状で掌を地面につ
いた形状のスタンドとする。
【０００６】  これは、例えば病院・介護施設のベットの側面や頭部又は足側のパイプ部分等に、パイプの太さが多様であり、フック類等で固定するのが容易ではない箇所で、通常のスタンドでは立て固定することが困難な箇所・場所に、スタンドのスタンド部分を両手の形状にして、手を開いた状態、所謂「グー」「チョキ」「パー」の「パー」の状態にし、固定した物、書類や透明プラスチックケース等平べったい形状の物をはさみ、電線ケーブル用簡易プラスチック製バンドで手首部分を両手とも締める。さらに、スタンド部分も、所謂「グー」の状態にしパイプを両手で握らせ、両手の指を、親指や小指、中指といった両端及び中ほど３か所、パイプの太さにもよる為、適宜両手の指の交差具合を見て２，３か所程度の指の交差箇所を電線ケーブル用簡易プラスチック製バンドで適宜締め、両手の指でパイプを締めつけさせ固定することによって、スタンドを立てた状態で固定する。又は逆に、単に動物の猿が枝にぶら下がるように、ベットのパイプ部分に掴ませる・握らせるようにし、ぶら下げた状態のスタンドで固定しする。このどちらでも、立ててもぶら下げても、多目的スタンドとして使用すれば、固定部分が手の形状、スタンド部分が円の形状の多目的スタンドより、立てる・ぶら下げる等して固定できる箇所が、病院や介護施設等で頻繁に使用されているのを目にするパイプベットのパイプ上等、通常の形状のスタンドなら固定することが容易でない箇所の固定も、固定することが可能になるのではないかと考え出願した。
【０００７】  また、以上のスタンドは、すべて適宜ゴム管を巻いた針金製であるが、入院・介護施設利用者の荷物をさらに減らす必要がある切実な場合には、例えばベット行先・不在表示は、本スタンドを用いてパイプベットのパイプの上又は下に固定し提示することなく、適宜ゴム管を巻いた針金又は厚紙等に、その要件の文字と人間の絵を併記したベット行先・不在表示を、例えば人間の絵のまさに手又は足の部分を適宜ゴム管を巻いた針金なら直接パイプに巻き固定する、厚紙なら予め複数のセットを用意し使用時は両面テープ等でパイプに固定し使用後は廃棄し使い捨てにすれば、両手の形状のスタンド程重くない為パイプに単に巻く又は両面テープのみで固定することが可能であるばかりか、手荷物削減や退院・退所時に無駄なものを一括処分清掃廃棄する際の廃棄物削減にもなるのではと考えた。そして、いずれもそのベット行先・不在表示は、入院・介護施設利用者を、病や介護から励ます、笑いを誘うような遊興性を添える内容となれば、単に見舞いする側の入院患者・介護施設利用者のベット不在時の探す労力を省く手間のみならず、病や介護で心労が増しわがままに陥りがちな患者・利用者本人をもその遊興性で励ますことができれば一石二鳥ではないかと考えた。
【０００８】  さらに、ベット行先・不在表示、家族写真、文庫本、コミックスタンドだけでなく、職場等の行先・注意表示としてパソコン画面の上部の縁に固定可能であり、またその入院・介護患者へのトレー等食事配膳の板状の物に、手の形状の指を板の上と下とにはさみ固定し、トレー等が斜めになっても固定し、今日の献立、○○様ご夕食、○○様糖尿病食、○○様タンパク質制限食等といった表示も、本多目的スタンドで可能である。
また、ベット、配膳のみならず、自家用車や電車等の車内での物の固定でも、活用性が考えられる。スタンド部分が手の形状なら、エアコン排気口にレ点状にフックでかける固定方法以外の固定が可能となる。また、手の掌にスピード出すな等の注意喚起、トイレ中、食事中等行先表示を表示することで、行先表示・注意喚起表示として、単に文字や図柄だけの表示ではなく、人間の手の掌にそのような表示がある為、一層注意を引く表示とすることが可能ではないかと考えた。
同様に、入院・介護施設利用者のベットからの行先表示、トイレ、リハビリ中、診察中、食事中、手術中、外出中、帰宅中、お見舞い中、カーテンな等には仮眠中、就寝中等が、また注意喚起表示としては起こすな、カーテンを開くな等の表示が活用性があると考えられる。
また、いずれの行先表示、注意喚起表示でも、表示したい文字数が人間の手の形状の固定部分の掌に収まりきれない場合も十分あり得る。その場合は、単に伝言メッセ−ジを挟むだけでも、注意力を引くメッセージホルダーとなり得ると考え出願した。
【０００９】  いずれの出願も、針金がその構成物の主要な要素を占める。
これを、柔軟なプラスチック製とし、上部を山折りの二つ折りにし、且つ表と裏両方表示とすることで、針金にはない未使用の時に書類に差し挟み収納できる収納性を持った表示に加工可能であることに気が付いた。そして、画面を妨げることなく、画面横又は縦に衝立状に表示可能なことに気が付いた。二つ折にした表示の上部中ほど数か所にセロテープ等で止めパソコン等固定箇所を挟み込むことで、表示を固定可能である。また、材質は紙等で使い捨て等の使途も考えられる。
【００１０】  電動式在席表示装置なら、先人の優れた考案が既になされている。
［特許出願平成４−２２７９５９］
［特許公開平成６−８３２７１］在席表示装置
しかし、パソコン等上部に挟んで固定する、プラスチック製で且つ書類などに挟んで収納可能な職場等のトイレ等離席など行先等表示をを見出すことができなかった。
【発明が解決しようとする課題】
【００１１】  針金がその構成物の主要な要素を占める離席等行先表示は、未使用の時保管場所が必要である。
【課題を解決するための手段】
【００１２】  これを、柔軟なプラスチック製とし、上部を山折りの二つ折りにし、且つ表と裏両方表示とすることで、針金にはない未使用の時に書類に差し挟み収納できる収納性を持った表示に加工可能であることに気が付いた。そして、画面を妨げることなく、画面横又は縦に衝立状に表示可能なことに気が付いた。二つ折にした表示の上部中ほど数か所にセロテープ等で止めパソコン等固定箇所を挟み込むことで、表示を固定可能である。また、材質は紙等で使い捨て等の使途も考えられる。
【課題を解決するための手段】
【００１３】  柔軟なプラスチック製とし、上部を山折りの二つ折りにし、且つ表と裏両方表示とすることで、針金にはない未使用の時に書類に差し挟み収納できる収納性を持った表示になった。そして、画面を妨げることなく、画面横又は縦に衝立状に表示可能になった。二つ折にした表示の上部中ほど数か所にセロテープ等で止めパソコン等固定箇所を挟み込むことで、表示を固定可能になった。また、材質は紙等で使い捨て等の使途も可能になった。
【図面の簡単な説明】
【００１４】
【図１】本発明の正面図である。
【図２】本発明の正面図である。
【図３】本発明の断面図である。
【図１】
2015014769.tif 000003
【図２】
2015014769.tif 000004
【図３】
2015014769.tif 000005
【図４】
2015014769.tif 000006
【図５】
2015014769.tif 000007
【手続補正書】
【提出日】平成25年9月28日(2013.9.28)
【手続補正１】
【補正対象書類名】明細書
【補正対象項目名】００１４
【補正方法】変更
【補正の内容】
【００１４】
【図１】本発明の正面図である。
【図２】本発明の正面図である。
【図３】本発明の正面図である。
【図４】本発明の正面図である。
【図５】本発明の断面図である。